(57)【要約】【課題】  施工者が変わっても常に均一で良好なシール性を確保できる水道用パッキンの取付構造を提供する。【解決手段】  管継手２の円筒内周壁に段差面２３を設けると共に、該段差面２３に所定深さの環状凹部２５を形成する。そして環状凹部２５の深さよりも厚みのあるパッキン３を環状凹部２５に嵌装し、その状態で、管継手２の内側に連結管１の先端部１２を収容し、環状凹部２５と連結管１の先端部１２との間にパッキン３を挟装して固定する。【選択図】  図２
2006258137.tif 000002
【特許請求の範囲】
【請求項１】
管継手の円筒内に段差面を設けると共に、該段差面に環状凹部を形成し、前記環状凹部の深さよりも厚みのあるパッキンを前記環状凹部に嵌装した状態で、前記管継手の内側に連結管の先端部を収容し、前記環状凹部と前記連結管の先端部との間に前記パッキンを挟装してなることを特徴とする水道用パッキン取付構造。
【請求項２】
前記管継手及び前記連結管は互いに螺合する螺刻部を有しており、前記管継手と前記連結管を締め付けることによって前記パッキンを圧縮すると共に、前記環状凹部は通水路に面する壁部を有しており、該壁部の先端を、前記連結管の先端部に接触させて前記管継手と前記連結管との過度の締め付けを禁止するストッパ手段として構成した請求項１記載の水道用パッキン取付構造。
【請求項３】
前記壁部の先端を、前記段差面よりも前記管継手の開口端側に設けた請求項２記載の水道用パッキン取付構造。
【発明の詳細な説明】
【技術分野】
【０００１】
本発明は、水道配管において継手部分等のシール性を高めるパッキンの取付構造に関するものである。
【背景技術】
【０００２】
従来、水道配管において継手部分等のシール性を高めるために環状のパッキンが使用されている。図４は、その従来のパッキン取付構造の一例を示す図である。従来のパッキン取付構造は、例えば管継手１０２の内周壁に、環状のパッキン１０３を配設するためのパッキン受け部１２３が軸方向に垂直な面として設けられており、管継手１０２の開口端部から連結管１０１の先端部を収容し、連結管１０１の先端部外周側面に形成された螺刻部と、管継手１０２の開口端部内周面に形成された螺刻部とを螺合して連結する際、パッキン受け部１２３と連結管１０１の先端部とによってパッキン１０３が挟装される構造となっている。ここでパッキン１０３は弾性材料で形成されており、管継手１０２に対して連結管１０１を締め付けていくことにより、パッキン１０３を弾性圧縮して、接合部におけるシール性を確保している。また従来は、連結管１０１を締め付けてパッキン１０３によるシール効果を得る際、施工者が感覚的に連結管１０１の締め付ける力を調節することにより、パッキン１０３の弾性圧縮量を調整しなければならなかった。
【発明の開示】
【発明が解決しようとする課題】
【０００３】
ところで、従来のパッキン取付構造は、管継手１０２と連結管１０１との締め付けにより、パッキン１０３のシール性を確保するものであるため、必要以上の締め付けがなされる可能性が極めて高い構造となっている。パッキン１０３の締め付けが必要以上になされると、パッキン１０３の変形量が大きくなって通水路の内側にはみ出し、水流に対する抵抗となる可能性がある。また、更に過度の締め付けがなされると、パッキン１０３そのものを劣化若しくは破損させ、良好なシール性を確保できなくなる可能性もある。
【０００４】
加えて従来は管継手１０２と連結管１０１との締め付け状態が施工者によって異なるため、パッキン１０３によるシール性が均一な状態で実現されにくく、シール性にばらつきが生じていた。
【０００５】
本発明は、上記従来の問題点を解決することを目的としてなされたものであり、施工者が変わっても常に均一で良好なシール性を確保できる水道用パッキンの取付構造を提供するものである。
【課題を解決するための手段】
【０００６】
上記目的を達成するため、本発明に係る水道用パッキン取付構造が解決手段として採用したところは、管継手の円筒内に段差面を設けると共に、該段差面に環状凹部を形成し、前記環状凹部の深さよりも厚みのあるパッキンを前記環状凹部に嵌装した状態で、前記管継手の内側に連結管の先端部を収容し、前記環状凹部と前記連結管の先端部との間に前記パッキンを挟装した点にある。この構造により、パッキンは環状凹部に収容された状態のままで締め付けられ、パッキンの通水路へのはみ出しや過度の締め付けが防止される。ここで「過度の締め付け」とは、パッキンの変形量が所定量よりも大きくなって、パッキンの劣化や破損等が生じて良好なシール性を確保できなくなる程度の締め付けを指している。
【０００７】
また、上記水道用パッキン取付構造の好ましい態様の一つは、前記管継手及び前記連結管は互いに螺合する螺刻部を有しており、前記管継手と前記連結管を締め付けることによって前記パッキンを圧縮すると共に、前記環状凹部は通水路に面する壁部を有しており、該壁部の先端を、前記連結管の先端部に接触させて前記管継手と前記連結管との過度の締め付けを禁止するストッパ手段とした構成である。これにより、環状凹部を構成する壁部の先端と、連結管の先端部とが接触した時点で、パッキンの過度の締め付けがより確実に防止される。
【０００８】
また、上記の水道用パッキン取付構造においては、前記壁部の先端を、前記段差面よりも前記管継手の開口端側に設けるようにしてもよい。
【発明の効果】
【０００９】
本発明に係る水道用パッキン取付構造によれば、パッキンは環状凹部に収容された状態のままで締め付けられ、パッキンの通水路へのはみ出しや過度の締め付けが防止されることから、締め付け時のパッキンの劣化を防止できると共に、施工者が変わっても常に均一で良好なシール性を確保したパッキンの取り付けが可能である。
【発明を実施するための最良の形態】
【００１０】
以下図面に基づいて本発明の好ましい実施形態を詳述する。図１乃至図３は、本発明の一実施形態に係る水道用パッキン取付構造を示す図であり、図１は連結管１と管継手２とがその接合部に環状のパッキン３を挟装して連結された状態を、図２はそれぞれが分離された状態を、図３は管継手２とパッキン３との拡大図を示している。
【００１１】
図２に示す如く、連結管１はその端部１１の外周側面に螺刻部１３が設けられると共に、管継手２の端部２１の内周面には前記螺刻部１３と螺合する螺刻部２２が設けられており、連結管１と管継手２とは螺嵌結合によって互いに連結される構造となっている。
【００１２】
管継手２の内周壁であって螺刻部２２の奥端となる位置には、環状のパッキン３を配設するためのパッキン受け部として段差面２３が設けられる。段差面２３は、管継手２の円筒内周壁に沿って設けられ、軸方向Ｌに垂直な受け面となっている。そして管継手２の内部は、この段差面２３に対して環状凹部２５が設けられた構造となっている。図３に示す如く、環状凹部２５は管内の通水路４に面する壁部２４を備えており、環状凹部２５の深さをＤとし、パッキン３の幅をＷとした場合、環状凹部２５の深さＤは、Ｗ＞Ｄ＞０を満たすように形成される。つまり、パッキン受け部となる段差面２３には、パッキン３の厚み寸法Ｗよりも深さの浅い環状凹部２５が形成される。
【００１３】
環状のパッキン３は弾性材料で形成され、その一方側面から所定幅（Ｄ相当幅）の部分が段差面２３の環状凹部２５に嵌装される。即ち、上述の如くパッキン３の厚み寸法Ｗは環状凹部２５の深さＤよりも大きいので、パッキン３の一方面側の一部のみが環状凹部２５内に嵌装され、他方面側の残部は壁部２４の先端から突出した状態となる。
【００１４】
このように管継手２の内側に設けられる環状凹部２５にパッキン３を嵌装した状態で、連結管１を管継手２に挿入し、例えば六角金具１４を操作して連結管１を軸Ｌ周りに回転させることにより、連結管１及び管継手２の螺刻部１３，２２を互いに螺合させていく。すると、連結管１の端部１１は軸方向Ｌに沿って管継手２の内側に進入していき、連結管１の先端１２がパッキン３に当接した後、次第にパッキン３を弾性圧縮していく。このとき、パッキン３は、環状凹部２５の壁部２４によって、軸方向Ｌに対して垂直方向への変位が規制されており、通水路４へのはみ出しが防止されている。
【００１５】
そして更に連結管１を管継手２に対して締め付けていくと、連結管１の先端１２が環状凹部２５を構成する壁部２４の先端に当接し、それ以上のパッキン３の締め付けが不可能になる。本実施形態においては、連結管１の先端１２が壁部２４の先端に当接したとき、パッキン３の締め付けが最適となるように、環状凹部２５の深さＤが予め決定されており、それに基づいた環状凹部２５が形成されている。そして連結管１の先端１２が壁部２４の先端に当接したとき、連結管１の先端１２及び環状凹部２５によって規定される環状空間内に、最適な状態に圧縮されたパッキン３が収容される。そのため、パッキン３を取り付ける際、連結管１と管継手２とが互いに接触するまで締め付けると、その状態が常にパッキン３の最適な締め付け状態となるので、施工者が変わっても常に均一で良好なシール性を確保できる構造となっている。
【００１６】
このように本実施形態において環状凹部２５を構成する壁部２４は、パッキン締め付け時におけるパッキン３の通水路４へのはみ出しを防止する手段としての機能を有すると共に、パッキン締め付け時における過度の締め付けを禁止するストッパ手段としての機能を併有しており、該壁部２４によって形成される環状凹部２５はパッキン３を最適な締め付け状態で収容する収容空間を構成している。
【００１７】
以上のように、本実施形態のパッキン取付構造は、管継手２の内周壁に、環状のパッキン３を配設するための段差面２３を設けると共に、その段差面２３に、パッキン３の厚み寸法Ｗよりも深さの浅い環状凹部２５を設け、該環状凹部２５にパッキン３を嵌装した状態で、管継手２の内側に連結管１の先端部１２を収容し、環状凹部２５と連結管１の先端部１２との間にパッキン３を挟装して取り付けた構造を有している。そのため、パッキン３を環状凹部２５に配設した状態で、管継手２に対して連結管１を締め付けていくと、パッキン３は環状凹部２５に収容された状態のままで圧縮変形され、通水路４にはみ出すことはなく、パッキン３の最適な圧縮状態が得られる。
【００１８】
また、環状凹部２５を構成する壁部２４の先端と、連結管１の先端１２とが互いに当接することによって、連結管１と管継手２との締め付けによるパッキン３の圧縮変形が常に一定の状態となって実現されるため、施工者が異なる場合であっても常に均一な止水効果が得られると共に、過度の圧縮変形が防止され、パッキン３の劣化を防ぐことができる。また、施工者にとっても、力加減や感覚等に頼ることなく施工できるので、熟練の必要はなく、簡単且つ効率的に安定した止水状態を得ることができる。
【００１９】
尚、環状凹部２５を構成する壁部２４の先端は、段差面２３よりも管継手２の開口端側に設けるようにしてもよい。
【００２０】
また、上述のパッキン取付構造は、連結管１と管継手２とが互いに螺合して結合されるものに限られず、その他の結合態様であっても適用可能なものである。但し、連結管１と管継手２とを互いに螺合して結合するものである場合には、上述した、施工者による締め付け作業のばらつきを解消できるという点で、より顕著な効果を発揮する。
【図面の簡単な説明】
【００２１】
【図１】本発明の一実施形態に係るパッキン取付構造を示し、連結管と管継手との間に環状のパッキンを挟装して連結された状態を示す図である。
【図２】連結管、管継手及びパッキンがそれぞれ分離した状態を示す図である。
【図３】管継手とパッキンとの関係を拡大して示す図である。
【図４】従来のパッキン取付構造の一例を示す図である。
【符号の説明】
【００２２】
１  連結管
２  管継手
３  パッキン
４  通水路
１２  連結管の先端
１３  連結管の螺刻部
２２  管継手の螺刻部
２３  段差面
２４  壁部
２５  環状凹部
【図１】
2006258137.tif 000003
【図２】
2006258137.tif 000004
【図３】
2006258137.tif 000005
【図４】
2006258137.tif 000006